(57)【特許請求の範囲】
【請求項１】
予め設定される停止条件を充足すると、車両に搭載されたエンジンを停止させる一方、該エンジンの停止中に、予め設定される再始動条件を充足すると、該エンジンを再始動させる自動制御を行うエンジン制御装置を備える車両制御装置であって、
運転者による操舵部材の操舵を補助するための操舵補助力を生じさせる操舵補助モータの制御を行う電動パワーステアリング制御装置をさらに備え、
前記再始動条件を、少なくとも、前記操舵部材に関する操舵角に係る閾値を含んで設定し、
前記操舵部材の操舵角が、前記再始動条件に関する前記操舵角に係る閾値に中立位置側から近づいた際に、前記電動パワーステアリング制御装置を用いて前記操舵補助力の急減を前記操舵部材に生じさせることにより、前記再始動条件の充足前に、前記エンジンの再始動を予報する、
ことを特徴とする車両制御装置。
【請求項２】
予め設定される停止条件を充足すると、車両に搭載されたエンジンを停止させる一方、該エンジンの停止中に、予め設定される再始動条件を充足すると、該エンジンを再始動させる自動制御を行うエンジン制御装置を備える車両制御装置であって、
運転者による操舵部材の操舵を補助するための操舵補助力を生じさせる操舵補助モータの制御を行う電動パワーステアリング制御装置をさらに備え、
前記再始動条件を、少なくとも、前記操舵部材に関する操舵トルクに係る閾値を含んで設定し、
前記操舵部材の操舵トルクが、前記再始動条件に関する前記操舵トルクに係る閾値に増加しながら近づいた際に、前記電動パワーステアリング制御装置を用いて前記操舵補助力の急減を前記操舵部材に生じさせることにより、前記再始動条件の充足前に、前記エンジンの再始動を予報する、
ことを特徴とする車両制御装置。
【請求項３】
請求項１又は２に記載の車両制御装置であって、
前記エンジンの再始動を、乗員の視覚又は聴覚に訴求し報知する報知部をさらに備え、
前記再始動条件の充足前に、前記エンジンの再始動を、前記報知部を用いて予報する、
ことを特徴とする車両制御装置。
【請求項４】
請求項１〜３のいずれか一項に記載の車両制御装置であって、
前記予報の度合いを、予め設定される基準燃費に対する実燃費の偏差に応じて変える、
ことを特徴とする車両制御装置。
【発明の詳細な説明】
【技術分野】
【０００１】
本発明は、予め設定される停止条件を充足すると、車両に搭載されたエンジンを停止させる一方、該エンジンの停止中に予め設定される再始動条件を充足すると、該エンジンを再始動させる自動制御を行うエンジン制御装置を備える車両制御装置に関する。
【背景技術】
【０００２】
従来、燃料の節約、エミッションや騒音の低減などを狙って、予め設定される停止条件（例えば車速がゼロで、ブレーキオン）を充足すると、車両に搭載されたエンジンを停止させる一方、該エンジンの停止中に予め設定される再始動条件を充足すると、該エンジンを再始動させる自動制御を行うエンジン制御装置が知られている。
【０００３】
かかるエンジン制御装置の一例として、特許文献１には、アイドリングストップ制御装置が開示されている。特許文献１に係るアイドリングストップ制御装置は、アイドリングストップ中に、ステアリングの操舵速度が所定速度以上である旨の操舵速度条件（再始動条件）を充足すると、エンジンを再始動させるように動作する。
特許文献１にアイドリングストップ制御装置によれば、アイドリングストップ中に所定の操舵速度条件（再始動条件）を充足するとエンジンを再始動させるため、所定速度を超えるステアリング操舵をトリガとして迅速に操舵補助力を発生させることができる。
【先行技術文献】
【特許文献】
【０００４】
【特許文献１】特開２０１１−２０２６１６号公報
【発明の概要】
【発明が解決しようとする課題】
【０００５】
ところで、特許文献１に係るアイドリングストップ制御装置では、エンジンの再始動制御を行うに際し、その旨を事前に報知することについては開示も示唆もない。そのため、特許文献１に係るアイドリングストップ制御装置では、運転者の意図に反するエンジンの再始動制御が唐突に行われてしまい、運転者に違和感を抱かせるおそれがあった。
【０００６】
本発明は、前記の課題を解決するためになされたものであり、違和感のない快適な運転環境をもって、エンジンの再始動制御を実現可能な車両制御装置を提供することを目的とする。
【課題を解決するための手段】
【０００９】
上記目的を達成するために、（１）に係る発明は、予め設定される停止条件を充足すると、車両に搭載されたエンジンを停止させる一方、該エンジンの停止中に、予め設定される再始動条件を充足すると、該エンジンを再始動させる自動制御を行うエンジン制御装置を備える車両制御装置であって、運転者による操舵部材の操舵を補助するための操舵補助力を生じさせる操舵補助モータの制御を行う電動パワーステアリング制御装置をさらに備え、前記再始動条件を、少なくとも、前記操舵部材に関する操舵角に係る閾値を含んで設定し、前記操舵部材の操舵角が、前記再始動条件に関する前記操舵角に係る閾値に中立位置側から近づいた際に、前記電動パワーステアリング制御装置を用いて前記操舵補助力の急減を前記操舵部材に生じさせることにより、前記再始動条件の充足前に、前記エンジンの再始動を予報する、ことを最も主要な特徴とする。
【００１０】
（１）に係る発明では、少なくとも、操舵部材に関する操舵角に係る閾値を含んで再始動条件を設定するケースにおいて、再始動条件の充足前に、操舵部材の操舵に係る手応えの急増という運転者の操舵感に直接的に訴えるわかりやすい態様をもって、エンジンの再始動を予報する形態を規定している。
【００１１】
（１）に係る発明によれば、操舵部材の操舵角が、再始動条件に関する操舵角に係る閾値に中立位置側から近づいた際に、電動パワーステアリング制御装置を用いて操舵補助力の急減（操舵反力の急増）を操舵部材に生じさせることで、再始動条件の充足前に、エンジンの再始動を予報するため、運転者の意図に反するエンジンの再始動制御が唐突に行われる事態を一掃し、違和感のない快適な運転環境をもって、エンジンの再始動制御を実現することができる。また、操舵部材の操舵に係る手応えの急増という運転者の操舵感に直接的に訴えるわかりやすい態様をもって、エンジンの再始動を適確に予報することができる。
【００１２】
また、（２）に係る発明は、予め設定される停止条件を充足すると、車両に搭載されたエンジンを停止させる一方、該エンジンの停止中に、予め設定される再始動条件を充足すると、該エンジンを再始動させる自動制御を行うエンジン制御装置を備える車両制御装置であって、運転者による操舵部材の操舵を補助するための操舵補助力を生じさせる操舵補助モータの制御を行う電動パワーステアリング制御装置をさらに備え、前記再始動条件を、少なくとも、前記操舵部材に関する操舵トルクに係る閾値を含んで設定し、前記操舵部材の操舵トルクが、前記再始動条件に関する前記操舵トルクに係る閾値に増加しながら近づいた際に、前記電動パワーステアリング制御装置を用いて前記操舵補助力の急減を前記操舵部材に生じさせることにより、前記再始動条件の充足前に、前記エンジンの再始動を予報する、ことを特徴とする。
【００１３】
（２）に係る発明では、少なくとも、操舵部材に関する操舵トルクに係る閾値を含んで再始動条件を設定するケースにおいて、再始動条件の充足前に、操舵部材の操舵に係る手応えの急増という運転者の操舵感に直接的に訴えるわかりやすい態様をもって、エンジンの再始動を予報する形態を規定している。
【００１４】
（２）に係る発明によれば、操舵部材の操舵トルクが、再始動条件に関する操舵トルクに係る閾値に増加しながら近づいた際に、電動パワーステアリング制御装置を用いて操舵補助力の急減を操舵部材に生じさせることにより、再始動条件の充足前に、エンジンの再始動を予報するため、運転者の意図に反するエンジンの再始動制御が唐突に行われる事態を一掃し、違和感のない快適な運転環境をもって、エンジンの再始動制御を実現することができる。また、操舵部材の操舵に係る手応えの急増という運転者の操舵感に直接的に訴えるわかりやすい態様をもって、エンジンの再始動を適確に予報することができる。
【００２１】
また、（３）に係る発明は、（１）又は（２）に係る発明に記載の車両制御装置であって、前記エンジンの再始動を、乗員の視覚又は聴覚に訴求し報知する報知部をさらに備え、前記再始動条件の充足前に、前記エンジンの再始動を、前記報知部を用いて予報する、ことを特徴とする。
【００２２】
（３）に係る発明では、再始動条件の充足前に、乗員の視覚又は聴覚に直接的に訴えるわかりやすい態様をもって、エンジンの再始動を予報する形態を規定している。
【００２３】
（３）に係る発明によれば、再始動条件の充足前に、エンジンの再始動を、乗員の視覚又は聴覚に訴求し報知する報知部を用いて予報するため、（１）又は（２）に係る発明が奏する作用効果に加えて、乗員の視覚又は聴覚に直接的に訴えるわかりやすい態様をもって、エンジンの再始動を適確に予報することができる。
【００２４】
そして、（４）に係る発明は、（１）〜（３）に係る発明のいずれかに記載の車両制御装置であって、前記予報の度合いを、予め設定される基準燃費に対する実燃費の偏差に応じて変える、ことを特徴とする。
【００２５】
（４）に係る発明によれば、予報の度合いを、予め設定される基準燃費に対する実燃費の偏差に応じて変えるため、（１）〜（３）に係る発明が奏する作用効果に加えて、運転者に対し、エンジンの再始動に係る予報態様をもって、基準燃費に対する実燃費の偏差に関する目安を知らせることができる。
【発明の効果】
【００２６】
本発明に係る車両制御装置によれば、違和感のない快適な運転環境をもって、エンジンの再始動制御を実現することができる。
【図面の簡単な説明】
【００２７】
【図１】本発明の実施形態に係る車両制御装置の周辺部を含むブロック構成図である。
【図２】図２（ａ）〜（ｅ）は、本発明の実施形態に係る車両制御装置の動作説明に供するタイムチャート図である。
【発明を実施するための形態】
【００２８】
以下、本発明の実施形態に係る車両制御装置について、図面を参照して詳細に説明する。
なお、以下に示す図において、共通の機能を有する部材間、又は、相互に対応する機能を有する部材間には、原則として共通の参照符号を付するものとする。また、説明の便宜のため、部材のサイズ及び形状は、変形又は誇張して模式的に表す場合がある。
【００２９】
〔本発明の実施形態に係る車両制御装置３０と連係する操舵装置１０の構成〕
本発明の実施形態に係る車両制御装置３０の説明に先だって、車両制御装置３０と連係する操舵装置１０の構成について、図１を参照して説明する。図１は、本発明の実施形態に係る車両制御装置３０の周辺部を含むブロック構成図である。
【００３０】
操舵装置１０は、図１に示すように、操舵ハンドル（ステアリングホイール）１、操舵補助装置２、転舵装置３を備える。
【００３１】
本発明の“操舵部材”に相当する操舵ハンドル１は、車両（不図示）の進行方向を所望の方向に変えようとする際に用いられる。操舵部材の中央部には、第１操舵軸１１及び第２操舵軸１２が、二つの自在継手１３を直列に介して機械的に連結されている。第２操舵軸１２には、ピニオン軸１４が連結されている。ピニオン軸１４は、その下部、中間部、上部が、軸受１４ａ，１４ｂ，１４ｃをそれぞれ介して回転自在に支持されている。
【００３２】
ピニオン軸１４のうち第２操舵軸１２側には、操舵トルクセンサ５が設けられている。操舵トルクセンサ５は、操舵ハンドル１から供給される操舵トルクの大きさと方向を、例えばソレノイド型のコイル１５ａ，１５ｂを用いて検出する機能を有する。操舵トルクセンサ５で検出された操舵トルク信号は、後記する電動パワーステアリング（ＥＰＳ）制御装置３１に供給される。
【００３３】
操舵補助装置２は、運転者による操舵ハンドル１の操舵を補助する機能を有する。操舵補助装置２は、運転者による操舵ハンドル１の操舵力を軽減するための補助力を供給する操舵補助モータ１６と、操舵補助モータ１６の出力軸に設けられたウォームギア１７に噛合するウォームホイールギア１８とを含んで構成されている。ウォームホイールギア１８は、ピニオン軸１４を回動中心としてピニオン軸１４に設けられている。
【００３４】
第１操舵軸１１には、操舵ハンドル１の操舵角を検出する操舵角センサ６が設けられている。操舵角センサ６で検出された操舵角信号は、例えばＣＡＮ（Controller Area Network）のような通信媒体４を介して、ＥＰＳ制御装置３１、及び、後記するエンジン制御装置３３のそれぞれに供給される。
【００３５】
操舵補助モータ１６は、例えば、複数の界磁コイルを備えた固定子（不図示）と、この固定子の内部で回動する回転子（不図示）とを有する３相ブラシレスモータを採用することができる。ただし、操舵補助モータ１６として、直流ブラシモータを用いてもよい。
【００３６】
転舵装置３は、運転者による操舵ハンドル１の操舵力を操舵車輪１９ａ，１９ｂに伝達する機能を有する。転舵装置３は、ピニオン軸１４に設けられたピニオンギア２０と、ピニオンギア２０に噛合するラック歯２１を有して車幅方向に往復運動可能なラック軸２２と、ラック軸２２の両端側にそれぞれ設けられるタイロッド２３ａ，２３ｂと、タイロッド２３ａ，２３ｂをそれぞれ介して回転可能に設けられる操舵車輪１９ａ，１９ｂと、を含んで構成されている。
【００３７】
〔本発明の実施形態に係る車両制御装置３０の構成〕
次に、本発明の実施形態に係る車両制御装置３０の構成について、図１を参照して説明する。
車両制御装置３０は、ＥＰＳ制御装置３１及びエンジン制御装置３３を備える。本発明の“車両制御装置”に相当するＥＰＳ制御装置３１及びエンジン制御装置３３の間は、通信媒体４を介して、相互にデータ交換可能に接続されている。通信媒体４には、前記の操舵トルクセンサ５及び操舵角センサ６の他に、自車両の速度（車速）を検出する車速センサ７、ブレーキセンサ８、及び、アクセルセンサ９がそれぞれ接続されている。
【００３８】
（ＥＰＳ制御装置３１の構成）
ＥＰＳ制御装置３１は、操舵トルクセンサ５により検出される操舵トルク信号、操舵角センサ６により検出される操舵角信号、車速センサ７により検出される車速信号などの各種信号を参照して、電動パワーステアリング（ＥＰＳ）が発揮する操舵ハンドル１の操舵補助力を制御する機能、及び、エンジン（不図示）の自動停止及び自動再始動に係る制御信号を生成する機能を有する。ＥＰＳ制御装置３１は、演算処理を行うマイクロコンピュータ及び各種周辺回路を含んで構成される。
【００３９】
詳しく述べると、ＥＰＳ制御装置３１は、第１の情報取得部３４、ＥＰＳ制御部３６、及び、不図示の記憶部を備えて構成されている。
【００４０】
ＥＰＳ制御装置３１の第１の情報取得部３４は、操舵トルクセンサ５及び操舵角センサ６、並びに、車速センサ７を含む各種センサからの信号を通して、操舵ハンドル１の操舵トルク及び操舵角を含む操舵情報、並びに、車速情報を取得する機能を有する。第１の情報取得部３４で取得された車速情報及び操舵情報は、ＥＰＳ制御部３６において、エンジン自動停止制御信号、及び、エンジン自動再始動制御信号を生成する際に参照される。
【００４１】
ＥＰＳ制御装置３１のＥＰＳ制御部３６は、第１の情報取得部３４で取得された車速情報及び操舵情報を参照して、操舵ハンドル１の操舵補助力を制御するＥＰＳ制御機能、エンジン自動停止制御信号を生成する機能、及び、エンジンの再始動制御信号を生成する機能を有する。
【００４２】
ＥＰＳ制御装置３１の記憶部には、車速情報に関する閾値である車速閾値、並びに、操舵トルク及び操舵角を含む操舵情報に関する閾値である操舵閾値が予め記憶されている。
【００４３】
車速閾値としては、例えば、時速１〜２０ｋｍ程度の徐行速度のなかから、目標とする燃料消費率などを参酌して、適宜の車速を選択的に採用すればよい。具体的には、例えば、高水準の燃料消費率を目標として設定する際には、車速閾値として比較的高い車速（例えば時速２０ｋｍなど）を選択的に採用する一方、燃料消費率に比べて車両の機動性を優先（エンジンをできるだけ停止させない）する設定を行う際には、車速閾値として比較的低い車速（例えば時速２ｋｍなど）を選択的に採用すればよい。
【００４４】
操舵閾値としては、操舵トルクに係る閾値である操舵トルク閾値を主として用いる。ただし、操舵閾値として、操舵角に係る閾値である操舵角閾値を採用してもよい。また、操舵閾値として、操舵トルク閾値及び操舵角閾値を組み合わせて採用してもよい。本発明の実施形態では、操舵閾値として、操舵トルク閾値を採用する例をあげて説明する。なお、簡単のために、図２（ｂ）に示す操舵トルク閾値は、操舵方向を除く操舵トルクの大きさに基づいて表現している。
【００４５】
前記の操舵トルク閾値は、第１の操舵トルク閾値ＯＴ＿ｔｈ１、及び、第２の操舵トルク閾値ＯＴ＿ｔｈ２（いずれも図２（ｂ）参照）を含む。第１及び第２の操舵トルク閾値ＯＴ＿ｔｈ１，ＯＴ＿ｔｈ２がそれぞれ担う役割について、詳しくは後記する。
【００４６】
（エンジン制御装置３３の構成）
エンジン制御装置３３は、燃料の節約、エミッションや騒音の低減などを狙って、予め設定される停止条件を充足すると、自車両に搭載されたエンジンを停止させる一方、エンジンの停止中に予め設定される再始動条件を充足すると、エンジンを再始動させる自動制御を行う機能を有する。エンジン制御装置３３は、演算処理を行うマイクロコンピュータ及び各種周辺回路を含んで構成される。
【００４７】
詳しく述べると、エンジン制御装置３３は、第２の情報取得部３５、及び、エンジン制御部３７を備えて構成されている。
【００４８】
エンジン制御装置３３の第２の情報取得部３５は、操舵トルクセンサ５及び操舵角センサ６、並びに、車速センサ７、ブレーキセンサ８、アクセルセンサ９を含む各種センサからの信号を通して、操舵ハンドル１の操舵トルク及び操舵角を含む操舵情報、並びに、車速情報、制動操作情報、及び、加速操作情報をそれぞれ取得する機能を有する。
【００４９】
第２の情報取得部３５で取得された操舵情報、車速情報、制動操作情報、及び、加速操作情報は、エンジン制御部３７において、エンジン自動停止制御及びエンジン自動再始動制御を行う際に適宜参照される。
【００５０】
エンジン制御装置３３のエンジン制御部３７は、予め設定される停止条件を充足すると、自車両に搭載されたエンジンを自動的に停止させるエンジン自動停止制御を行う機能を有する。エンジンを自動的に停止させるための停止条件は、原則として３つある。自車両の車速が徐行速度域（例えば、車速が時速１０ｋｍなど）にあること、ブレーキペダル（不図示）が踏み込まれている（以下、“ブレーキオン”という。）こと、アクセルペダル（不図示）が踏み込まれていない（以下、“アクセルオフ”という。）こと、がそれである。
【００５１】
前記３つの停止条件をすべて充足した場合に、エンジン制御装置３３のエンジン制御部３７は、エンジンを自動的に停止させる旨のエンジン自動停止制御信号を生成する。また、エンジン制御装置３３のエンジン制御部３７は、生成したエンジン自動停止制御信号に基づいて、エンジンを自動的に停止させる制御を行う。
【００５２】
一方、エンジン制御装置３３のエンジン制御部３７は、エンジンの停止中に、予め設定される再始動条件を充足すると、エンジンを自動的に再始動させるエンジン自動再始動制御を行う機能を有する。エンジンを自動的に再始動させるための停止条件は、原則として３つある。ブレーキペダルの踏み込み解放により制動操作が解除されていること、アクセルペダルの踏み込みにより加速操作が実行されていること、操舵ハンドル１の操舵トルクが、第１の操舵トルク閾値ＯＴ＿ｔｈ１を上回っていること、がそれである。
【００５３】
前記３つの再始動条件のうち少なくともいずれかを充足した場合に、エンジン制御装置３３のエンジン制御部３７は、エンジンを自動的に再始動させる旨のエンジン自動再始動制御信号を生成する。また、エンジン制御装置３３のエンジン制御部３７は、生成したエンジン自動再始動制御信号に基づいて、エンジンを自動的に再始動させる制御を行う。
【００５４】
ここで、第１の操舵トルク閾値ＯＴ＿ｔｈ１について説明する。第１の操舵トルク閾値ＯＴ＿ｔｈ１とは、右左折又は旋回を含む運転意図が生じているか否かを判断する際の指標となる、操舵ハンドル１の操舵トルクに係る閾値である。右左折又は旋回を含む運転意図が生じているとみなされるシーンでは、一般に、エンジンの自動再始動制御を行うのがよい。運転者に運転意図が生じている際の対応として適切だからである。
【００５５】
右左折又は旋回を含む運転意図が生じているとみなされるシーンとしては、例えば、交差点において運転者が操舵ハンドル１を右左折に係る進行方向に向けて据え切りする（操舵ハンドル１の操舵トルクが生じる）シーンを想定することができる。かかるシーンにおいて、仮に、エンジンの自動再始動制御を行わないと、運転者の運転意図に反することになる。
【００５６】
しかし、右左折又は旋回を含む運転意図が生じているとみなされるシーンには、実際に運転意図があるケースの他に、運転意思に反して誤って操舵ハンドル１を操舵してしまうようなケースも考えられる。
【００５７】
このように運転意思に反して誤って操舵ハンドル１を操舵したケースにおいて、仮に、何の前触れもなくエンジンの自動再始動制御を唐突に行うと、運転者に違和感を抱かせてしまう。また、運転者の意図に反するエンジンの自動再始動制御が行われると、燃料の節約、エミッションや騒音の低減の観点からも好ましくない。
【００５８】
そこで、本発明の実施形態に係る車両制御装置３０では、エンジンの再始動条件の充足前に、エンジンの再始動を予報する構成を採用することとした。
【００５９】
エンジンの再始動を予報する態様として、以下に述べる複数の実施態様がある。
第１の実施態様では、車両制御装置３０は、エンジンの再始動を、報知部２７（図１参照）を用いて、乗員の視覚又は聴覚に訴求し報知する。通信媒体４に接続される報知部２７は、エンジンの再始動を、乗員の視覚又は聴覚に訴求し報知する機能を有する。具体的には、報知部２７としては、例えば、表示装置や音声発生装置を適宜採用すればよい。
【００６０】
第２の実施態様では、エンジンの再始動条件を、少なくとも、操舵ハンドル１に関する操舵トルクに係る閾値（第１の操舵トルク閾値ＯＴ＿ｔｈ１）を含んで設定しておく。車両制御装置３０は、操舵ハンドル１の操舵トルクが、再始動条件に関する操舵トルクに係る閾値（第１の操舵トルク閾値ＯＴ＿ｔｈ１）に増加しながら近づいた際に、ＥＰＳ（電動パワーステアリング）制御装置３１を用いて操舵補助力の急減（換言すれば、操舵反力の急増）を操舵ハンドル１に生じさせることで、操舵ハンドル１の操舵に係る手応えの急増をもって、再始動条件の充足前に、エンジンの再始動を予報するように動作する。
【００６１】
ところで、前記第２の実施態様では、操舵ハンドル１の操舵トルクが、再始動条件に関する操舵トルクに係る閾値（第１の操舵トルク閾値ＯＴ＿ｔｈ１）に中立位置側から近づいたか否かを、いかにして判別するかが問題となる。かかる問題を解決するために、第２の実施態様では、第２の操舵トルク閾値ＯＴ＿ｔｈ２（図２（ｂ）参照）を用いる。
【００６２】
第２の操舵トルク閾値ＯＴ＿ｔｈ２とは、操舵ハンドル１の操舵トルクが、第２の操舵トルク閾値ＯＴ＿ｔｈ２に中立位置側から近づいたか否かを判断する際の指標となる、操舵ハンドル１の操舵トルクに係る閾値である（図２（ｂ）参照）。第２の操舵トルク閾値ＯＴ＿ｔｈ２は、第１の操舵トルク閾値ＯＴ＿ｔｈ１と比べて、小さい値が設定される。
【００６３】
第２の操舵トルク閾値ＯＴ＿ｔｈ２の値を設定するにあたっては、操舵ハンドル１の操舵トルクが第２の操舵トルク閾値ＯＴ＿ｔｈ２に達して、操舵ハンドル１の操舵に係る手応えの急増によるエンジンの再始動予報が行われることで、操舵ハンドル１の誤操作に気づいた運転者が、第１の操舵トルク閾値ＯＴ＿ｔｈ１に操舵ハンドル１の操舵トルクが達する前に、操舵ハンドル１を中立位置側に戻すだけの時間的な猶予に相当する角度を、第１の操舵トルク閾値ＯＴ＿ｔｈ１との間におくことを考慮すればよい。
【００６４】
なお、前記第２の実施態様の再始動条件に関する操舵情報に係る閾値として、第１の操舵トルク閾値ＯＴ＿ｔｈ１に代えて、第１の操舵角閾値を用いてもよい。かかる第２の実施態様の第１変形例では、操舵ハンドル１の操舵角が、再始動条件に関する操舵角に係る閾値（第１の操舵角閾値）に中立位置側から近づいた際に、ＥＰＳ（電動パワーステアリング）制御装置３１を用いて操舵補助力の急減（換言すれば、操舵反力の急増）を操舵ハンドル１に生じさせることで、操舵ハンドル１の操舵に係る手応えの急増をもって、再始動条件の充足前に、エンジンの再始動を予報するように動作する。
【００６５】
ただし、操舵ハンドル１の操舵角が、再始動条件に関する操舵角に係る閾値（第１の操舵角閾値）に中立位置側から近づいたか否かを判別するために、第２の操舵角閾値を用いる点は、前記第２の実施態様と同じである。
【００６６】
第３の実施態様は、前記第２の実施態様の第２変形例に相当する。第２の実施態様では、操舵補助力の急減（換言すれば、操舵反力の急増）を操舵ハンドル１に生じさせることで、操舵ハンドル１の操舵に係る手応えの急増をもって、エンジンの再始動を予報するのに対し、第３の実施態様では、操舵ハンドル１を振動させることで、操舵ハンドルを掴んでいる運転者の手指に対する触感をもって、エンジンの再始動を予報する点が相違している。
【００６７】
操舵ハンドル１を振動させるには、ＥＰＳ制御装置３１を用いる。ＥＰＳ制御装置３１のＥＰＳ制御部３６は、操舵ハンドル１を小刻みにブルブルと振動させる駆動制御信号を生成すると共に、生成した駆動制御信号に基づいて、操舵補助モータ１６の駆動制御（正回転／逆回転を経時的に交互に行わせる駆動制御）を行う。これにより、ＥＰＳ制御装置３１のＥＰＳ制御部３６は、操舵ハンドル１を、小刻みにブルブルと振動させることができる。
【００６８】
〔本発明の実施形態に係る車両制御装置３０の動作〕
次に、本発明の実施形態に係る車両制御装置３０の動作について、図２を参照して説明する。図２は、本発明の実施形態に係る車両制御装置３０の動作説明に供するタイムチャート図である。
【００６９】
図２は、自車両の車速が徐行速度域に低下することでエンジン自動停止制御が行われた際に、自車両が停止状態で操舵ハンドル１を据え切り操舵したシーンでの、エンジンの自動再始動制御動作を表す。詳しく述べると、図２（ａ）には車速センサ７の出力特性が、図２（ｂ）には操舵トルクセンサ５の出力特性が、図２（ｃ）には操舵補助力の出力特性が、図２（ｄ）にはブレーキセンサ８のオンオフ出力特性が、図２（ｅ）にはエンジンのオンオフ出力特性が、それぞれ時系列的に表現されている。
【００７０】
図２に示す時刻ｔ０〜ｔ１において、自車両は、直線道路を定速走行している（図２（ａ）参照）。同時刻ｔ０〜ｔ１の期間において、ブレーキセンサ８のオンオフ出力特性はオフ状態にある（図２（ｄ）参照）。また、アクセルセンサ９のオンオフ出力特性は、ブレーキセンサ８とは逆に、オン状態にある（不図示）。
【００７１】
図２に示す時刻ｔ１〜ｔ３において、自車両は、徐々に車速を減じる徐行走行を行った後、時刻ｔ３において停止している（図２（ａ）参照）。同時刻ｔ１〜ｔ３の期間において、ブレーキセンサ８のオンオフ出力特性はオン状態にある（図４（ｄ）参照）。また、アクセルセンサ９のオンオフ出力特性は、ブレーキセンサ８とは逆に、オフ状態にある（不図示）。
【００７２】
図２に示す時刻ｔ２において、自車両は、車速が徐行速度以下であり、ブレーキオン状態、かつ、アクセルオフ状態にある。したがって、エンジンを自動的に停止させるための３つの停止条件をすべて充足している。そのため、同時刻ｔ２において、エンジン制御装置３３のエンジン制御部３７は、徐行速度域で走行中の自車両のエンジンを自動的に停止させる（図２（ｅ）参照）。
【００７３】
図２に示す時刻ｔ３〜ｔ４において、自車両は、停止状態を維持している（図２（ａ）参照）。このとき、ブレーキセンサ８のオンオフ出力特性は、オン状態にある（図２（ｄ）参照）。また、アクセルセンサ９のオンオフ出力特性は、ブレーキセンサ８とは逆に、オフ状態にある（不図示）。
【００７４】
図２に示す時刻ｔ４〜ｔ５において、停止状態を維持している自車両では、操舵ハンドル１が、例えば右折方向に、徐々に操舵力を増しながら据え切り操舵されている（図２（ｂ）参照）。同時刻ｔ４〜ｔ５において、操舵補助力の出力特性は、第１の操舵補助力ＯＴ１が維持されている（図２（ｃ）参照）。ブレーキセンサ８のオンオフ出力特性は、オン状態にある（図２（ｄ）参照）。また、アクセルセンサ９のオンオフ出力特性は、ブレーキセンサ８とは逆に、オフ状態にある（不図示）。
【００７５】
図２に示す時刻ｔ５において、操舵ハンドル１の操舵トルクが、第２の操舵トルク閾値ＯＴ＿ｔｈ２に至っている。したがって、ＥＰＳ制御装置３１は、操舵ハンドル１の操舵トルクが、第１の操舵トルク閾値ＯＴ＿ｔｈ１に増加しながら近づいた旨の判断を下す。そのため、時刻ｔ５〜ｔ６において、ＥＰＳ制御装置３１のＥＰＳ制御部３６は、操舵補助力の急減（換言すれば、操舵反力の急増）を操舵ハンドル１に生じさせる（図２（ｃ）参照）ことで、操舵ハンドル１の操舵に係る手応えの急増をもって、エンジンの再始動に係る予報を開始する。
【００７６】
なお、図２（ｃ）に示す例では、操舵補助力は、第１の操舵補助力ＯＴ１から、第１の操舵補助力ＯＴ１と比べて運転者が手応えの急増を感じる程度に十分に小さい第２の操舵補助力ＯＴ２に至るまで、ほぼ線形に漸減している。
【００７７】
同時刻ｔ５〜ｔ６において、ブレーキセンサ８のオンオフ出力特性は、オン状態を維持している（図２（ｄ）参照）。また、アクセルセンサ９のオンオフ出力特性は、ブレーキセンサ８とは逆に、オフ状態を維持している（不図示）。
【００７８】
図２に示す時刻ｔ６において、操舵ハンドル１の操舵トルクが、第１の操舵トルク閾値ＯＴ＿ｔｈ１に至っている。これを受けて、ＥＰＳ制御装置３１は、右左折又は旋回を含む運転意図が生じているとみなす。また、同時刻ｔ６において、エンジン制御装置３３のエンジン制御部３７は、エンジンを自動的に再始動させる（図２（ｅ）参照）。
【００７９】
なお、同時刻ｔ６において、ＥＰＳ制御装置３１のＥＰＳ制御部３６は、第２の操舵補助力ＯＴ２から第１の操舵補助力ＯＴ１に至るまで、操舵補助力を徐々に戻す。エンジンの自動再始動を運転者に予報するという要請は、エンジンの自動再始動をもって解消したからである。
なお、操舵補助力を第２の操舵補助力ＯＴ２から第１の操舵補助力ＯＴ１に至るまで徐々に戻す構成を採用した理由は、操舵補助力を急激に戻すと、操舵ハンドル１の手応えが急に軽くなって、車両挙動を乱す要因になるおそれがあるからである。
【００８０】
図２に示す時刻ｔ５〜ｔ６の期間は、エンジンの自動再始動を運転者に予報するための予報期間である。この予報期間では、操舵ハンドル１の操舵に係る手応えの急増をもって、エンジンの再始動に係る予報を行う前記第２の実施態様に加えて、エンジンの再始動を、報知部２７を用いて、乗員の視覚又は聴覚に訴求し報知する第１の実施態様、及び、操舵ハンドル１を振動させることで、操舵ハンドルを掴んでいる運転者の手指に対する触感をもって、エンジンの再始動を予報する第３の実施態様を採用してもよい。
【００８１】
また、前記予報期間期間では、図２に例示した前記第２の実施態様に組み合わせて、前記第１の実施態様、又は、前記第３の実施態様のいずれか一方を採用してもよい。
【００８２】
〔本発明の実施形態に係る車両制御装置３０が奏する作用効果〕
次に、本発明の実施形態に係る車両制御装置３０が奏する作用効果について説明する。
【００８５】
第１の観点（請求項１）に基づく車両制御装置３０では、再始動条件を、少なくとも、操舵ハンドル１に関する操舵角に係る閾値を含んで設定し、操舵ハンドル１の操舵角が、再始動条件に関する操舵角に係る閾値に中立位置側から近づいた際に、電動パワーステアリング制御装置３１を用いて操舵補助力の急減を操舵ハンドル１に生じさせることにより、再始動条件の充足前に、エンジンの再始動を予報する、構成を採用することとした。
【００８６】
第１の観点に基づく車両制御装置３０では、少なくとも、操舵ハンドル１に関する操舵角に係る閾値を含んで再始動条件を設定するケースにおいて、再始動条件の充足前に、操舵ハンドル１の操舵に係る手応えの急増という運転者の操舵感に直接的に訴えるわかりやすい態様をもって、エンジンの再始動を予報する形態を規定している。
【００８７】
第１の観点に基づく車両制御装置３０によれば、操舵ハンドル１の操舵角が、再始動条件に関する操舵角に係る閾値に中立位置側から近づいた際に、電動パワーステアリング制御装置３１を用いて操舵補助力の急減（操舵反力の急増）を操舵ハンドル１に生じさせることで、再始動条件の充足前に、エンジンの再始動を予報するため、運転者の意図に反するエンジンの再始動制御が唐突に行われる事態を一掃し、違和感のない快適な運転環境をもって、エンジンの再始動制御を実現することができる。また、操舵ハンドル１の操舵に係る手応えの急増という運転者の操舵感に直接的に訴えるわかりやすい態様をもって、エンジンの再始動を適確に予報することができる。
【００８８】
また、第２の観点（請求項２）に基づく車両制御装置３０では、再始動条件を、少なくとも、操舵ハンドル１に関する操舵トルクに係る閾値を含んで設定し、操舵ハンドル１の操舵トルクが、再始動条件に関する操舵トルクに係る閾値に増加しながら近づいた際に、電動パワーステアリング制御装置３１を用いて操舵補助力の急減を操舵ハンドル１に生じさせることにより、再始動条件の充足前に、エンジンの再始動を予報する、構成を採用することとした。
【００８９】
第２の観点に基づく車両制御装置３０では、少なくとも、操舵ハンドル１に関する操舵トルクに係る閾値を含んで再始動条件を設定するケースにおいて、再始動条件の充足前に、操舵ハンドル１の操舵に係る手応えの急増という運転者の操舵感に直接的に訴えるわかりやすい態様をもって、エンジンの再始動を予報する形態を規定している。
【００９０】
第２の観点に基づく車両制御装置３０によれば、操舵ハンドル１の操舵トルクが、再始動条件に関する操舵トルクに係る閾値に増加しながら近づいた際に、電動パワーステアリング制御装置３１を用いて操舵補助力の急減を操舵ハンドル１に生じさせることにより、再始動条件の充足前に、エンジンの再始動を予報するため、運転者の意図に反するエンジンの再始動制御が唐突に行われる事態を一掃し、違和感のない快適な運転環境をもって、エンジンの再始動制御を実現することができる。また、操舵ハンドル１の操舵に係る手応えの急増という運転者の操舵感に直接的に訴えるわかりやすい態様をもって、エンジンの再始動を適確に予報することができる。
【００９７】
また、第３の観点（請求項３）に基づく車両制御装置３０では、エンジンの再始動を、乗員の視覚又は聴覚に訴求し報知する報知部２７をさらに備え、再始動条件の充足前に、エンジンの再始動を、報知部２７を用いて予報する、構成を採用してもよい。
【００９８】
第３の観点に基づく車両制御装置３０では、再始動条件の充足前に、乗員の視覚又は聴覚に直接的に訴えるわかりやすい態様をもって、エンジンの再始動を予報する形態を規定している。
【００９９】
第３の観点に基づく車両制御装置３０によれば、再始動条件の充足前に、エンジンの再始動を、乗員の視覚又は聴覚に訴求し報知する報知部２７を用いて予報するため、第１又は第２の観点に基づく車両制御装置３０が奏する作用効果に加えて、乗員の視覚又は聴覚に直接的に訴えるわかりやすい態様をもって、エンジンの再始動を適確に予報することができる。
【０１００】
そして、第４の観点（請求項４）に基づく車両制御装置３０では、予報の度合いを、予め設定される基準燃費に対する実燃費の偏差に応じて変える、構成を採用してもよい。
【０１０１】
ここで、予め設定される基準燃費としては、例えば、自動車メーカーが測定して自動車カタログに掲載するJC08モード燃費等を適宜採用すればよい。ただし、例えばJC08モード燃費は、所定の走行パターンを想定したケースでの燃費であるため、一般ユーザの実際の走行パターンに基づく実燃費とは必ずしも一致しない。すなわち、一般ユーザの走行パターンに基づく実燃費と、JC08モード燃費などの基準燃費との間には、多少の偏差を生じる場合がある。こうした偏差の圧縮を狙って、最近では、例えば、JC08モード燃費に係る走行パターンに倣った走行パターンを運転者にアドバイスする装置も検討されている。
【０１０２】
この点、第４の観点に基づく車両制御装置３０では、一般ユーザの走行パターンに基づく実燃費とJC08モード燃費などの基準燃費との間に多少の偏差を生じることに着目し、この偏差に応じて予報の度合いを変更することにより、運転者に省燃費となる経済走行を促すこととした。
【０１０３】
操舵ハンドル１の操舵に係る手応えの急増という態様で運転者の操舵感に直接的に訴えることで、エンジンの再始動を予報する第１及び第２の観点に基づく実施形態において、前記予報の度合いとは、操舵補助力の急減（操舵反力の急増）の度合いを意味する。
さらに、乗員の視覚又は聴覚に訴えることで、エンジンの再始動を予報する第３の観点に基づく実施形態において、前記予報の度合いとは、乗員の視覚又は聴覚に訴える力の度合い（表示内容の拡大・縮小や音量の大小）を意味する。
【０１０４】
また、操舵ハンドル１の操舵に係る手応えの急増という運転者の操舵感に直接的に訴えることで、エンジンの再始動を予報する第１及び第２の観点に基づく実施形態において、前記予報の度合いを、予め設定される基準燃費に対する実燃費の偏差に応じて変える、とは、例えば、次のような予報態様を想定することができる。すなわち、基準燃費に対する実燃費の偏差が、負（悪燃費）の側に大きいケースの予報態様では、前記偏差がゼロのケースの予報態様と比べて、操舵補助力の急減（操舵反力の急増）の度合いを大きくする。
【０１０６】
そして、乗員の視覚又は聴覚に訴えることで、エンジンの再始動を予報する第３の観点に基づく実施形態において、前記予報の度合いを、予め設定される基準燃費に対する実燃費の偏差に応じて変える、とは、例えば、次のような予報態様を想定することができる。すなわち、基準燃費に対する実燃費の偏差が、負（悪燃費）の側に大きいケースの予報態様では、前記偏差がゼロのケースの予報態様と比べて、乗員の視覚又は聴覚に訴える力の度合いを大きく（表示内容の拡大や音量大）する。
【０１０７】
第４の観点に基づく車両制御装置３０によれば、予報の度合いを、予め設定される基準燃費に対する実燃費の偏差に応じて変えるため、第１又は第２の観点に基づく車両制御装置３０が奏する作用効果に加えて、運転者に対し、エンジンの再始動に係る予報態様をもって、基準燃費に対する実燃費の偏差に関する目安を知らせることができる。
【０１０８】
なお、基準燃費に対する実燃費の偏差が、負（悪燃費）の側に大きいケースの予報態様として、前記偏差がゼロのケースの予報態様と比べて、予報の開始時期を早める構成を採用してもよい。予報の開始時期を早める構成は、第４の観点に基づく構成と組み合わせて適用してもよい。
予報の開始時期を早める構成を採用すれば、運転者に対し、エンジンの再始動に係る予報態様をもって、基準燃費に対する実燃費の偏差に関する目安を早期に知らせることができる。
【０１０９】
〔その他の実施形態〕
以上説明した複数の実施形態は、本発明の具現化の例を示したものである。したがって、これらによって本発明の技術的範囲が限定的に解釈されることがあってはならない。本発明はその要旨又はその主要な特徴から逸脱することなく、様々な形態で実施することができるからである。
【０１１０】
例えば、本発明の実施形態に係る車両制御装置３０の説明において、再始動条件に関する操舵情報に係る閾値として、操舵角閾値及び操舵トルク閾値を例示して説明したが、本発明はこの例に限定されない。再始動条件に関する操舵情報に係る閾値として、操舵速度を採用してもよい。
本実施例において、操舵ハンドル１の操舵速度が、再始動条件に関する操舵速度に係る閾値（第１の操舵速度閾値）に速度ゼロの側から近づいた際に、ＥＰＳ（電動パワーステアリング）制御装置３１を用いて操舵補助力の急減（換言すれば、操舵反力の急増）を操舵ハンドル１に生じさせることで、操舵ハンドル１の操舵に係る手応えの急増をもって、再始動条件の充足前に、エンジンの再始動を予報するように構成すればよい。
【０１１１】
ただし、操舵ハンドル１の操舵速度が、再始動条件に関する操舵速度に係る閾値（第１の操舵速度閾値）に速度ゼロの側から近づいたか否かを判別するために、第２の操舵速度閾値を用いる点は、再始動条件に関する操舵情報に係る閾値として、前記操舵角又は前記操舵トルクを用いる例と同じである。
【符号の説明】
【０１１２】
１      操舵ハンドル（操舵部材）
１６    操舵補助モータ
２７    報知部
３０    車両制御装置
３１    ＥＰＳ制御装置（電動パワーステアリング制御装置）
３３    エンジン制御装置
【図１】
0006055381.tif 000002
【図２】
0006055381.tif 000003